(57)【要約】【課題】圧迫感を除去するとともに、室内作業時においても簡便、好適に使用が可能となる保冷具を提供する。【解決手段】保冷具において、吸水性ポリマーを内包した冷却部と、冷却部の両端に配置され、折返形状保持手段を含む二つの折返形状保持部と、を有し、折返形状保持部それぞれの長さを、前記冷却部の長さを１とした場合、０．１１以上０．４３以下の範囲とする。なおこの場合において、冷却部の少なくとも一部に、折返形状保持手段を除去した領域を有することも好ましい。【選択図】図３
2011087662.tif 000002
【特許請求の範囲】
【請求項１】
吸水性ポリマーを内包した冷却部と、
前記冷却部の両端に配置され、折返形状保持手段を含む二つの折返形状保持部と、を有する帯状の保冷具であって、
前記折返形状保持部それぞれの長さは、前記冷却部の長さを１とした場合、０．１１以上０．４３以下の範囲にある保冷具。
【請求項２】
前記冷却部の少なくとも一部に、折返形状保持手段を除去した領域を有する請求項１記載の保冷具。
【請求項３】
前記折返形状保持手段は、金属製の板である請求項１記載の保冷具。
【請求項４】
前記折返形状保持手段は、磁極の向きを異ならせて配置している複数の磁石である請求項１記載の保冷具。
【請求項５】
前記折返形状保持部の端部は、保冷具の軸垂直方向に対し傾いた辺を有してなる請求項１記載の保冷具。
【発明の詳細な説明】
【技術分野】
【０００１】
本発明は、保冷具に関する。
【背景技術】
【０００２】
保冷具は、吸水性ポリマーを内包した冷却部を有する帯状の冷却具であり、水を含ませ首の周辺に巻くことで水の蒸発を介して放熱し、首元の冷却を行なうことのできるものである。
【０００３】
下記特許文献１には、吸水性ポリマーを内包した冷却部を有する帯状の冷却具であって、水を含ませ首の周辺に巻くことで水の蒸発を利用し、首元の冷却を行なうことのできる保冷具が開示されている。
【０００４】
下記特許文献２には、蓄冷材料を含む袋体に針金を付し、腕等に巻きつける保冷具が開示されている。
【先行技術文献】
【特許文献】
【０００５】
【特許文献１】実用新案登録３１５００９７号
【特許文献２】実用新案登録３０８３６１５号
【発明の開示】
【発明が解決しようとする課題】
【０００６】
しかしながら、上記特許文献１に開示される冷却具は、主に、登山等のレジャーや農作業等の室外作業といった動きの多い状態で使用されることが多く、保冷具の位置を固定しないことを前提とした状況での使用であるため特に問題は無いが、動きの少ない室内においてワイシャツ等を着て行う事務仕事等においては保冷具の位置をある程度固定する必要があり、位置のズレは着ているワイシャツ等の服の不必要な部分まで広範囲に濡らしてしまう虞があり好ましくない。また、保冷具はスカーフ状であるのが殆どであり、特に男性には、スカーフを巻くファッションが定着しておらず、受け入れられるのは不可能ではないが、現状の構造のままでは極めて困難である。
【０００７】
また上記特許文献２に記載の文献に開示される冷却具は、体に巻きつけることによる圧迫感、違和感を発生させてしまうといった課題がある。なお蓄冷するために冷蔵庫等に入れて冷やす必要があり、冷却することのできる時間、手間がかかるといった課題もある。
【０００８】
特に、夏の暑い朝の仕事前、通勤時、更には夏の暑い時間における就業時等にサラリーマンが他の通勤客、同僚の目を気にすることなく、顧客に対して失礼な服装ととらえられることなく装着することができる程度のさりげなさ、デザイン性に優れた冷却具があれば、冷却具を装着することに対する抵抗が少なくなり冷却具装着者の増加を促進することができ、冷却具装着者が増加すれば、室内温度の設定を従前より高くすることが可能となり、現在問題となっている地球環境問題対策としても極めて有用なものとなる。
【０００９】
そこで、本発明は、上記課題を解決し、圧迫感を除去するとともに、室内作業時においても簡便、好適に使用が可能となる保冷具を提供することを目的とする。
【課題を解決するための手段】
【００１０】
上記課題を解決する第一の観点に係る保冷具は、吸水性ポリマーを内包した冷却部と、この冷却部の両端に配置された二つの折返形状保持部と、を有する帯状の保冷具であって、折返形状保持部の長さは、冷却部の長さを１とした場合、０．１１以上０．４３以下の範囲にある。
【発明の効果】
【００１１】
以上、本発明により、圧迫感を除去するとともに、室内作業時においても簡便に使用が可能となる保冷具を提供することができる。
【図面の簡単な説明】
【００１２】
【図１】実施形態に係る保冷具の概略を示す図である。
【図２】実施形態に係る保冷具の冷却部の断面を示す図である。
【図３】実施形態に係る保冷具の使用の状態の一例を示す図である。
【図４】実施形態に係る保冷具の折返形状保持部の一例を示す図である。
【図５】実施形態に係る保冷具の折返形状保持部の他の例を示す図である。
【図６】実施形態に係る保冷具の折返形状保持部の他の例の概略を示す図である。
【図７】実施形態における保冷具にフックを付した場合の一例を示す図である。
【発明を実施するための最良の形態】
【００１３】
以下、本発明の実施形態について図面を参照しつつ説明する。ただし、本発明は多くの異なる態様で実施することが可能であり、以下に示す実施形態に限定されるものではない。
【００１４】
（実施形態１）
図１は、本実施形態に係る保冷具１の概略を示す平面図であり、図２は、図１における冷却部２の（Ａ−Ａ’の）断面図であり、図３は、実施形態に係る保冷具１の使用の状態の一例を示す図であり、図４は、実施形態に係る保冷具の折返形状保持部の概略を示す図である。
【００１５】
これらの図で示すように、本実施形態に係る保冷具１は、吸水性ポリマー２１を内包した冷却部２と、冷却部２の両端に配置された二つの折返形状保持部３１、３２と、を有する帯状の保冷具である。
【００１６】
本実施形態に係る保冷具の冷却部２は、上記の通り、吸水性ポリマー２１を内包したものであり、限定されるわけではないが、水を通す布等の袋体２２の内部に吸水性ポリマー２１を内包したものであることが好ましい。なお限定されるわけではないが、袋体２２は、一方の面２２１が水を通しやすい材料であり、他方の面２２２が水を通しにくい材料で構成されていると、例えば水を通しにくい側の袋体の面をワイシャツの首周り部に当てても不必要にワイシャツをぬらすことが無いためより好ましい。なお、水を通しやすい材料の例としては、例えば綿、麻、毛、ウール、合成繊維等を挙げることができ、水を通しにくい材料の例としては、例えばビニール等又は上記水を通しやすい材料等に撥水処理を施したものを挙げることができる。なお、冷却部２の袋体２２におけるいずれか一方の面には滑り止め防止手段が付されていることも好ましい。このようにすることでワイシャツ等の首回り部分内側に冷却具を当て、この摩擦により好適に保持させることができる。滑り止め防止手段としては、ポリマーを点状又は線状に分散配置させることで容易に実現することができるがこれに限定されない。
【００１７】
また本実施形態に係る吸水性ポリマーは、吸水し、給水した水が蒸発する際周囲の熱を吸い取って周囲を冷却することができるものであり限定されるわけではないが、材質としてイソブチレン−無水マレイン系の合成高分子等を例示することができる。また、吸水性ポリマーとしては、用いる袋体２２の隙間から漏れ出ないようにすることが好ましく、袋体２２の材質によって異なり限定されるわけではないが、球状である好ましく、粒径としては０．０５ｍｍ以上１ｍｍ以下であることが好ましく、より好ましくは０．５ｍｍ以下、さらに好ましくは０．３ｍｍ以下である。また、本実施形態に係る吸水性ポリマーの量は、ポリマーの給水能力により異なるが、０．３ｇ以上２ｇ以下、より好ましくは０．５ｇ以上１ｇ以下であることが好ましい。
【００１８】
また、本実施形態に係る冷却部２の長さとしては、３５ｃｍ以上４５ｃｍ以下の範囲であることが好ましく、より好ましくは３７ｃｍ以上４３ｃｍ以下の範囲である。このようにすることで成人男性及び成人女性の首周りの概ねのサイズをカバーすることができるものとなる。
【００１９】
また、保冷部２の幅は、限定されるわけではないが、２ｃｍ以上５ｃｍ以下であることが好ましく、より好ましくは２ｃｍ以上４ｃｍ以下の範囲である。この範囲とすることで、図３の例で示すように、ワイシャツ等の洋服における首回り部の幅に合わせることが可能となり、不必要な部分が濡れてしまうことを防止することができ、更には襟と首回り部の間に挿入して折返形状保持手段の先端部分を隠すことが可能となり、安定して保持できるとともにデザイン上も優れたものとなる。
【００２０】
また本実施形態に係る冷却部２の両端には、それぞれ折返形状保持手段を含む二つの折返形状保持部３１、３２が配置されている。本折返形状保持部３１、３２は、それぞれ折り返すこと、更には、その形状を保持することができるものである。このようにすることで、ワイシャツ等洋服の首周り部分の端部を挟んで固定し、脱落を抑えることができるようになる。この結果、首に巻きつける必要が無くなり圧迫感を極めて少なくすることができる。また本実施形態に係る折返形状保持部は、襟の下に隠れることとなるため、不必要に目立たない。更に、冷却具１の内側のデザインを工夫することでデザイン上の工夫が容易であるといった利点もある。
【００２１】
本実施形態に係る折返形状保持部３１、３２のそれぞれの長さは、５ｃｍ以上１５ｃｍであって、好ましくは７ｃｍ以上１３ｃｍ以下の範囲内である。よって、冷却部の長さを１とした場合、０．１１以上０．４３以下の範囲にあり、好ましくは０．１２以上０．４以下の範囲内であり、さらに好ましくは０．１５以上０．３７以下、更に好ましくは０．１６以上０．３５以下の範囲である。この範囲とすることで、従来の保冷具のように結ぶための端部ではなく不必要に折返形状保持部を長くすることなく着脱が容易になるとともに、襟元近傍のみに折返形状保持部を配置するため違和感を生じさせず襟の下に差し込むことができるようになる。なお、折返形状保持部３１、３２の幅は限定されるわけではないが、上記冷却部と同様の幅とすることが好ましく、一体に構成することが製造上好ましい。なお、ここで折返形状保持部の長さとしては、冷却部２との境界から先端までの冷却具の軸に沿った方向における距離をいうが、折返形状保持端部の端部が傾いた辺を有している場合は、冷却部２との境界から、冷却部２幅の中心に沿った端までの長さをいう（図１参照）。
【００２２】
図４は、折返形状保持手段が金属製の板を内包したものの例を示す。折返形状保持手段を金属製の板（以下「金属板」）３２１とすることで好きな位置で折返し、形状保持が可能となり、しかも簡便に製造することができるといった利点がある。図４の例は、金属板と折返形状保持部の形状とが相似形となるように形成した例を示す。なお、金属板を採用する場合、材質としては特に限定されるわけではないが、銅やアルミニウムを採用することができ、銅を用いることが繰り返しの使用により好適である。また、金属製の板を採用する場合、厚さとしては０．１ｍｍ以上０．５ｍｍ以下であることが好ましい。この範囲とすることで容易に折り曲げることが可能となりつつ、繰り返しの折返形状保持が可能となる。
【００２３】
また、金属製の板の幅、長さ等は、上記例のほか適宜調節可能であり特に限定されず、例えば、折返形状保持部３１、３２の幅よりも十分細い（好ましくは０．５ｃｍ以上２ｃｍ以下、より好ましくは１．５ｃｍ以下の幅であって、４ｃｍ以上１４ｃｍ以下の長さの）板状の金属板３２２とし、この金属板にラミネート加工（ビニール等の柔軟な材料で覆う）を施したもの３２３を採用することも好ましい。このようにすることで、金属を含ませた場合でも金属板の角が袋体２２から飛び出すことによる怪我を防止することができ、また汗や水による腐食を防止して金属板の酸化を防止しすることができ、更に、折り返すことのできる回数を大幅に増加させて長寿命化を図ることができるといった利点がある。この一例を図５に示しておく。
【００２４】
なお、本実施形態において冷却部２の少なくとも一部、好ましくは８０％以上、より好ましくは全部に、折返形状保持手段を設けていないこと、折返形状保持手段を除去した領域があることが好ましい。これにより、折返形状保持部によってワイシャツ等の襟に保冷具１を固定する際、冷却部の柔軟性、軽量化を確保することが可能となり、人の動作によりワイシャツ等の形状が変化したとしても十分にその形状の変化に対応させることができ、ワイシャツ等の首回りを不必要に固定してしまうことによる違和感を生じさせることがなく、冷却する部位例えば首などを不必要に圧迫することがなくなる、といった効果がある。もちろん、冷却部を首回り部分の形状に合わせる必要が極力なくなるため装着が容易になるといた効果もある。
【００２５】
なお、本実施形態に係る折返形状保持部３１、３２は、上記に限定されず、例えば図６で示すように、磁極の向きを異ならせて配置している複数の磁石３２４、３２５を有するものとしても良い。このようにすることで、折り返すことでこれら異なる磁極を向き合わせ、磁力により吸着させ、折返し及び形状保持を行なうことができるといった利点がある。
【００２６】
また本実施形態において折返形状保持部の端部は、保冷具の軸垂直方向に対し傾いた辺を有していることが好ましい。このようにすることで、折返形状保持部に鋭利な先端部を設け、この先端部を用いることで襟への挿入角度を十分に確保することができ、襟の下への挿入がより容易となるといった利点がある。傾いた辺としては、限定されるわけではないが、３０°以上６０°以下であることが好ましく、より好ましくは４０°以上５０°以下である。
【００２７】
また、本実施形態においては、冷却部２の中央近傍に、フック２３を配置することも好ましい。このようにすることで、ワイシャツの首回り部及び襟にひっかけることでより安定的に保持することが可能となる。例えば図７にこの一例を示しておく。なおフックの位置は、首筋に触れないようにするため袋体２２の両面の境界部分又は（ワイシャツに接する側の）他方の面に配置しておくことが好ましい。なおこの場合において、傾いた辺を有している場合、フック２３が付された保冷具の辺の方が他方の辺よりも長いことが好ましい。このようにすることで、ワイシャツの首周り部と襟との間に保冷具の先端をより挿入しやすくできるといった効果がある。
【００２８】
以上、本実施形態に係る保冷具は、圧迫感を除去するとともに、室内作業時においても簡便、好適な使用が十分可能となる。
【００２９】
ここで、上記実施形態に係る保冷具について具体的な一例を作製し効果を確認した。以下説明する。
【００３０】
（実施例）
幅４ｃｍ、長さ３３ｃｍの冷却部と、それぞれ幅４ｃｍ、長さ１２ｃｍの折返形状保持部とを作製した。なお、折返形状部には傾き４５°の傾いた辺を設けた。また冷却部には、吸水性ポリマーを１ｇ内包させ、折返形状保持部内には銅板（幅１ｃｍ、長さ９ｃｍの銅板）にビニールによるラミネート加工を行ったものを配置した。なお、本実施例において、冷却部の袋体及び折返形状保持部は同一の材料で構成し、冷却部の袋体の一方の面に撥水処理を行った。
【００３１】
この保冷具に水を適量含ませ、首に巻くとともに、ワイシャツの首周り部と襟の隙間に挿入し、折返形状保持部で固定することにより固定した。この結果、適度な水分により首周り部分にフィットさせることができたとともに、過度な圧迫感も無く、更に、首周り部分以外は濡れずに非常に好適な保冷具となることを確認した。また、ラミネート加工を行った銅板を用いることで、９０回程度曲げと伸ばしを繰り返しても折返形状保持を行うことができ、長寿命化を図ることもできた。
【００３２】
以上、本実施例によっても圧迫感を除去するとともに、室内作業時においても簡便に使用が十分可能な冷却具であることを確認した。
【産業上の利用可能性】
【００３３】
本発明は、保冷具として製造業において産業上利用可能である。
【符号の説明】
【００３４】
１…保冷具、２…冷却部、３１，３２…折返形状保持部
【図１】
2011087662.tif 000003
【図２】
2011087662.tif 000004
【図３】
2011087662.tif 000005
【図４】
2011087662.tif 000006
【図５】
2011087662.tif 000007
【図６】
2011087662.tif 000008
【図７】
2011087662.tif 000009